(57)【特許請求の範囲】
【請求項１】
時刻情報で相互に関連付けられた映像データと字幕データを含むコンテンツデータを記憶する記憶部と、
前記字幕データに含まれる字幕文字列を取得する字幕文字列取得部と、
前記字幕文字列取得部で取得された前記字幕文字列に対して、前記字幕文字列が有する属性に応じて重み付けを行う重み付け部と、
前記重み付けがされた前記字幕文字列に対応する時刻情報を取得する時刻取得部と、
前記映像データから、前記時刻取得部で取得され前記重み付け部で重み付けされた前記字幕文字列の前記時刻情報に対応する映像情報を順次に取得する映像取得部と、
前記映像取得部で取得された前記映像情報を表示部における１つの枠内に時系列的にサムネイル表示させる表示制御部と、
を備えることを特徴とする、録画再生装置。
【請求項２】
前記時刻取得部は、前記字幕文字列の表示開始時刻を取得し、
前記映像取得部は、前記時刻取得部で取得された前記字幕文字列の前記表示開始時刻に対応する映像情報を取得することを特徴とする、請求項１に記載の録画再生装置。
【請求項３】
前記コンテンツデータに関するメタデータからメタデータ文字列を取得するメタデータ文字列取得部を備え、
前記字幕文字列取得部は、前記メタデータ文字列の少なくとも一部と一致または類似する前記字幕文字列を取得することを特徴とする、請求項１に記載の録画再生装置。
【請求項４】
前記メタデータは、前記コンテンツデータに関連する情報を含む電子番組表データであることを特徴とする、請求項３に記載の録画再生装置。
【請求項５】
前記字幕文字列取得部で取得された前記字幕文字列と、前記メタデータ文字列取得部で取得された前記メタデータ文字列との類似度計算をする類似度計算部を備え、
前記時刻取得部は、前記類似度計算による類似度を示す値が所定の閾値を超えるときの前記字幕文字列取得部で取得された前記字幕文字列の表示開始時刻を取得することを特徴とする、請求項３に記載の録画再生装置。
【請求項６】
時刻情報で相互に関連付けられた映像データと字幕データを含むコンテンツデータを記憶するステップと、
前記字幕データに含まれる字幕文字列を取得するステップと、
前記取得された前記字幕文字列に対して、前記字幕文字列が有する属性に応じて重み付けを行うステップと、
前記重み付けがされた前記字幕文字列に対応する時刻情報を取得するステップと、
前記映像データから、前記取得され重み付けされた前記字幕文字列の前記時刻情報に対応する映像情報を順次に取得するステップと、
前記取得された前記映像情報を表示部における１つの枠内に時系列的にサムネイル表示させるステップと、
を含むことを特徴とする、録画再生方法。
【発明の詳細な説明】
【技術分野】
【０００１】
本発明は、録画再生装置及び録画再生方法に関する。
【背景技術】
【０００２】
記録（録画）再生装置は、記録媒体、例えばハードディスクドライブ（ＨＤＤ）を有し、テレビ放送の放送番組やＤＶＤ等の光ディスク媒体上に記録されたコンテンツなどの映像情報をＨＤＤに記録し、ＨＤＤに記録されたコンテンツを再生することができる。
【０００３】
記録再生装置には、記録再生装置の記録媒体に記録された放送番組やコンテンツなどの映像データの一部をサムネイル表示する機能を有するものがある。サムネイル表示によって、利用者は記録された複数のデータの中から再生を希望するデータを容易に選択することができる。
【０００４】
テレビ放送やコンテンツの信号には、映像データ信号、音声データ信号が含まれ、更に、字幕データ信号が含まれる場合がある。字幕データのうち表示または非表示を選択することができるものをクローズドキャプションという。字幕データには、例えば日本語字幕、番組のタイトル、出演者などのクレジット等が含まれる。そして、特許文献１では、録画された映像データと字幕データに基づいて１つのコンテンツに関するサムネイル表示を生成する技術が開示されている。
【０００５】
【特許文献１】特開２００５−３０３７４３号公報
【発明の開示】
【発明が解決しようとする課題】
【０００６】
ところで、記録再生装置におけるサムネイル表示は、次に示すような表示方法がある。（１）まず、１つのコンテンツに関して、複数の静止画像を１つの画面内でサムネイル表示する方法がある。この表示方法では、１つのコンテンツに含まれる複数の場面を１つの画面内で確認することができる。
【０００７】
（２）また、１つのコンテンツについて、１つの静止画像を１つの画面内でサムネイル表示する方法がある。この表示方法では、１つのコンテンツについて、そのコンテンツに関するタイトルやコンテンツの説明、出演者などの情報と共に表示することによって、コンテンツの静止画像を確認することができる。
【０００８】
（３）そして、複数のコンテンツについてそれぞれ代表する１つの静止画像をサムネイル表示して、１つの画面内で複数のコンテンツを羅列する方法がある。この表示方法では、１つの画面内で複数のコンテンツのそれぞれの静止画像を確認することができ、利用者が複数のコンテンツの中から再生する１のコンテンツを選択しやすくなる。
【０００９】
特許文献１は、上記の（１）に関するサムネイル表示であり、１つのコンテンツにおいて複数の静止画像を字幕データと共に表示し、録画した放送番組を容易に把握できるようにするものである。
【００１０】
一方、上記の（２）や（３）に関するサムネイルでは、一般に１つのコンテンツに対して１枚の静止画像を表示する。このとき、１枚の静止画像は、コンテンツの内容と関係なく映像データから適当に選択されている場合や、コンテンツ内で重要度の高いものが１枚のみ選択されている場合があった。そのため、これらのサムネイル表示では、利用者は１枚の静止画像から１つのコンテンツの内容を推測する必要があるため、例えばコンテンツの概略、あらすじが得られない場合があった。
【００１１】
そこで、本発明は、上記問題に鑑みてなされたものであり、本発明の目的とするところは、字幕データを用いて１つの枠内においてコンテンツの概略を把握することが可能な、新規かつ改良された録画再生装置及び録画再生方法を提供することにある。
【課題を解決するための手段】
【００１２】
上記課題を解決するために、本発明のある観点によれば、時刻情報で相互に関連付けられた映像データと字幕データを含むコンテンツデータを記憶する記憶部と、字幕データに含まれる字幕文字列を取得する字幕文字列取得部と、字幕文字列に対応する時刻情報を取得する時刻取得部と、映像データから、時刻取得部で取得された字幕文字列の時刻情報に対応する映像情報を順次に取得する映像取得部と、映像取得部で取得された映像情報を表示部における１つの枠内に時系列的にサムネイル表示させる表示制御部とを備えることを特徴とする録画再生装置が提供される。
【００１３】
かかる構成により、記憶部は、時刻情報で相互に関連付けられた映像データと字幕データを含むコンテンツデータを記憶し、字幕文字列取得部は、字幕データに含まれる字幕文字列を取得し、時刻取得部は、字幕文字列に対応する時刻情報を取得し、映像取得部は、映像データから、時刻取得部で取得された字幕文字列の時刻情報に対応する映像情報を順次に取得し、表示制御部は、映像取得部で取得された映像情報を表示部における１つの枠内に時系列的にサムネイル表示させる。従って、字幕データに基づいて映像情報を取得し、映像情報を１つの枠内に時系列的にサムネイル表示されるので、コンテンツの概略を把握することができる。
【００１４】
上記時刻取得部は、字幕文字列の表示開始時刻を取得し、映像取得部は、時刻取得部で取得された字幕文字列の表示開始時刻に対応する映像情報を取得するものであってもよい。かかる構成により、同一の字幕文字列が複数の映像情報にわたって表示されるとき、映像取得部は字幕文字列の表示開始時刻に対応する映像情報を取得する。
【００１５】
上記コンテンツデータに関するメタデータからメタデータ文字列を取得するメタデータ文字列取得部を備え、字幕文字列取得部は、メタデータ文字列の少なくとも一部と一致または類似する字幕文字列を取得するものであってもよい。かかる構成により、字幕文字列取得部において、字幕文字列は、メタデータ文字列の少なくとも一部と一致または類似するものが取得される。
【００１６】
上記メタデータは、コンテンツデータに関連する情報を含む電子番組表データであってもよい。かかる構成により、電子番組表データに含まれる文字列の少なくとも一部と一致または類似する字幕文字列が取得される。
【００１７】
上記字幕文字列取得部は、字幕データを形態素解析して字幕文字列を取得するものであってもよい。また、上記メタデータ文字列取得部は、メタデータを形態素解析してメタデータ文字列を取得するものであってもよい。かかる構成より、形態素解析によって、字幕文字列またはメタデータ文字列を抽出することができる。
【００１８】
上記字幕文字列取得部で取得された字幕文字列に対して、字幕文字列が有する属性に応じて重み付けを行う重み付け部を備え、時刻取得部は、重み付けがされた字幕文字列の時刻情報を取得するものであってもよい。かかる構成により、映像取得部において、重み付けがされた字幕文字列に対応する映像情報が取得される。
【００１９】
上記字幕文字列取得部で取得された字幕文字列と、メタデータ文字列取得部で取得されたメタデータ文字列との類似度計算をする類似度計算部を備え、時刻取得部は、類似度計算による類似度を示す値が所定の閾値を超えるときの字幕文字列取得部で取得された字幕文字列の表示開始時刻を取得するものであってもよい。かかる構成により、字幕文字列とメタデータ文字列との間の類似度が所定の閾値を超えるとき、そのときの字幕文字列に対応する映像情報が映像取得部において取得される。
【００２０】
上記字幕文字列取得部で取得された字幕文字列に対して、字幕文字列が有する属性に応じて重み付けを行う重み付け部を備え、類似度計算部は、重み付けがされた字幕文字列と、メタデータ文字列取得部で取得されたメタデータ文字列との類似度計算をするものであってもよい。かかる構成により、重み付けされた字幕文字列とメタデータ文字列との間で類似度計算が行われ、映像取得部において、重み付けがされた字幕文字列に対応する映像情報が取得される。
【００２１】
上記表示制御部は、映像取得部で取得された映像情報を表示部における１つの枠内に所定の時間間隔で時系列的にサムネイル表示させるものであってもよい。かかる構成により、映像取得部で取得された映像情報が、表示部における１つの枠内に所定の時間間隔で時系列的にサムネイル表示される。
【００２２】
また、上記課題を解決するために、本発明の別の観点によれば、時刻情報で相互に関連付けられた映像データと字幕データを含むコンテンツデータを記憶するステップと、字幕データに含まれる字幕文字列を取得するステップと、字幕文字列に対応する時刻情報を取得するステップと、映像データから、取得された字幕文字列の時刻情報に対応する映像情報を順次に取得するステップと、取得された映像情報を表示部における１つの枠内に時系列的にサムネイル表示させるステップとを含むことを特徴とする録画再生方法が提供される。
【発明の効果】
【００２３】
本発明によれば、字幕データを用いて１つの枠内においてコンテンツの概略を把握することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
（第１の実施形態）
まず、本発明の第１の実施形態に係る録画再生装置１００について説明する。図１は、本実施形態に係る録画再生装置１００を示すブロック図である。
【００２６】
録画再生装置１００は、記録再生装置の一例であり、例えば、表示装置とは別に構成される単独の装置である。録画再生装置１００は、テレビ放送をＨＤＤ１７０などの記録媒体に記録し、記録されたデータを再生することができる。録画再生装置１００は、例えば電子番組表（ＥＰＧ：Electronic  Program  Guide）データを受信して、表示装置（図示せず。）にＥＰＧ（放送番組表）を表示させることができる。その際、映像データを用いてサムネイル表示を行うことができる。録画再生装置１００は、図１に示すように、チューナ１０４と、復調器１０６と、デスクランブラ１０８と、多重分離器１１０と、デコーダ１１２、１１４、１１６と、サムネイル取得装置１１８と、映像信号処理回路１２０と、Ｄ／Ａ変換器１２２を有し、更にＣＰＵ（Central  Processing  Unit）１３０と、ＲＯＭ（Read  Only  Memory）１４０と、ＲＡＭ（Random  Access  Memory）１４２と、Ｉ／Ｆ１５０と、ＨＤＤ（Hard  Disk  Drive）１７０とを有する。
【００２７】
なお、録画再生装置１００は、テレビ放送を受信するテレビ受信機に適用されて内蔵されたものであってもよい。また、録画再生装置１００は、例えば、パーソナルコンピュータなどに適用してもよい。
【００２８】
チューナ１０４は、アンテナ線・放送Ｉ／Ｆ１０２（インターフェース）を介してデジタル放送（ＢＳ、ＣＳ、地上波）の放送信号を受信する。チューナ１０４が録画再生装置１００に設けられることによって、アンテナ線を介して受信するテレビ放送を視聴することができる。なお、録画再生装置１００とチューナ１０４は、一体型の場合に限定されず、別の構成装置からなるとしてもよい。復調器１０６は、チューナ１０４で受信した放送信号を復調処理する。デスクランブラ１０８は、受信した信号が機密保持のためにスクランブルをかけた放送信号である場合、通常の信号に復元する。
【００２９】
なお、録画再生装置１００は、チューナ１０４が設置される場合に限定されず、ＩＰ放送によるテレビ放送が受信可能な通信処理部（図示せず。）が設けられるとしてもよい。ここで、通信処理部は、ＴＣＰ／ＩＰ等のプロトコルで通信制御を行い、通信Ｉ／Ｆ（インターフェース）を介して配信サーバから送信されるコンテンツデータに関する信号を受信する。また、録画再生装置１００は、配信サーバから送信されるＥＰＧデータを、通信処理部を介して受信する。
【００３０】
多重分離器１１０は、チューナ１０４から復調処理された信号を受信し、受信した信号から映像、音声、字幕、ＰＳＩ(Program  Specific  Information)／ＳＩ（Service  Information）などの信号を分離する。また、多重分離器１１０は、受信した信号からＥＰＧに関するＥＩＴ（Event  Information  Table）を分離する。
【００３１】
デコーダ１１２、１１４、１１６は、多重分離（デマルチプレクサ）処理を行った信号を復号処理する。デコーダ１１２、１１４、１１６には、字幕データを復号する字幕デコーダ１１２、映像データを復号する映像デコーダ１１４、音声データを復号する音声デコーダ１１６等がある。
【００３２】
サムネイル取得装置１１８は、映像取得部の一例であり、映像デコーダ１１４から映像データ信号を受信し、通常の画像サイズに比べてサイズが小さいサムネイル画像を生成する。サムネイル取得装置１１８は、生成されたサムネイル画像の信号を映像信号処理回路１２０に出力する。サムネイル取得装置１１８は、映像データから、時刻取得部１３３で取得された字幕文字列の時刻情報、例えば表示開始時刻に対応する映像情報を順次に取得する。
【００３３】
映像信号処理回路１２０は、字幕デコーダ１１２及び映像デコーダ１１４で復号した字幕データ信号、映像データ信号によるデータの再生処理や、ＥＰＧなどの表示データの合成処理をして、表示装置で利用者が視聴可能となるデータを生成する。映像信号処理回路１２０は、表示制御部の一例である。映像信号処理回路１２０で生成されたデータは、映像出力端子１２４を介して、表示装置に出力される。映像信号処理回路１２０は、映像取得部で取得された映像情報を、表示装置に表示される１つの枠内に時系列的にサムネイル表示させる。
【００３４】
Ｄ／Ａ変換器１２２は、音声デコーダ１１６で復号した音声データ信号をデジタル信号からアナログ信号に変換し、音声出力端子１２６を介して音声出力装置（図示せず。）に信号を出力する。
【００３５】
ＣＰＵ１３０は、プログラムによって演算処理装置及び制御装置として機能し、録画再生装置１００内に設けられたデコーダ１１２、１１４、１１６、サムネイル取得装置１１８などの各構成要素の処理を制御することができる。ＣＰＵ１３０は、録画再生装置１００で起動されるブラウザなどの各種アプリケーションの制御、放送信号を受信する制御、受信したコンテンツデータをＨＤＤ１７０に保存する蓄積制御、ＨＤＤ１７０に記憶されたコンテンツデータを再生する再生制御などを行う。また、ＣＰＵ１３０には、字幕文字列取得部１３２と、時刻取得部１３３と、メタデータ文字列取得部１３４と、類似度計算部１３５と、重み付け部１３６が含まれる。
【００３６】
字幕文字列取得部１３２は、字幕データに含まれる字幕文字列を、例えば形態素解析によって取得する。字幕文字列取得部１３２は、メタデータ文字列の少なくとも一部と一致または類似する字幕文字列を取得する。
【００３７】
時刻取得部１３３は、字幕文字列取得部１３２で取得された字幕文字列に対応する時刻情報、例えば字幕文字列の表示開始時刻を取得する。そして、時刻取得部１３３は、時刻情報をサムネイル取得装置１１８に出力する。時刻取得部１３３は、重み付け部１３６で重み付けされた字幕文字列の時刻情報を取得する場合もある。類似度計算を行った場合、時刻取得部１３３は、類似度計算による類似度を示す値が所定の閾値を超えるときの字幕文字列取得部１３２で取得された字幕文字列の時刻情報を取得する。
【００３８】
メタデータ文字列取得部１３４は、コンテンツデータに関するメタデータからメタデータ文字列を、例えば形態素解析によって取得する。例えば、メタデータはＥＰＧ（電子番組表）データであり、メタデータ文字列取得部１３４は、ＥＰＧデータからタイトル、番組詳細などの文字列を取得する。
【００３９】
類似度計算部１３５は、字幕文字列取得部１３２で取得された字幕文字列と、メタデータ文字列取得部１３４で取得されたメタデータ文字列（例えばＥＰＧ文字列）との類似度計算をする。類似度計算とは、字幕文字列とＥＰＧ文字列との類似度を計算する。類似度計算は、字幕文字列とＥＰＧ文字列のそれぞれに含まれるキーワード群をベクトル（キーワードベクトル）とみなし、ベクトル間の余弦（ｃｏｓθ）を計算する。計算された余弦の結果を類似度とみなして計算結果とする。
【００４０】
例えば、字幕文字列とＥＰＧ文字列のキーワード群（番組情報に含まれる固有名詞の場合）は下記の表の通りとなる。
【００４１】
【表１】
0004403432.tif 000002
【００４２】
ここで、例えば「４．０：日本」とは、コロン（：）の前がスコアを示し、コロンの後がキーワードを示す。スコアは、出現頻度に応じて決定される。
【００４３】
字幕文字列とＥＰＧ文字列の類似度は、下記の式に示すように字幕文字列のキーワードベクトルとＥＰＧ文字列のキーワードベクトルの余弦から算出される。
【００４４】
【数１】
0004403432.tif 000003
【００４５】
ここで、
【数２】
0004403432.tif 000004
である。字幕文字列のキーワードベクトルとＥＰＧ文字列のキーワードベクトルの余弦が字幕文字列とＥＰＧ文字列の類似度となる。
【００４６】
重み付け部１３６は、字幕文字列取得部１３２で取得された字幕文字列に対して、字幕文字列が有する属性、例えば字幕文字列に付加された色彩などに応じて重み付けを行う。そして、重み付けがされた字幕文字列について時刻取得部１３３がその字幕文字列の時刻情報を取得するとしてもよいし、類似度計算部１３５の類似度計算で重み付けされた文字列を用いるとしてもよい。
【００４７】
ＲＯＭ１４０は、ＣＰＵ１３０が使用するプログラムや演算パラメータ等を記憶する。ＲＡＭ１４２は、ＣＰＵ１３０の実行において使用するプログラムや、その実行において適宜変化するパラメータ等を一次記憶する。Ｉ／Ｆ１５０は、操作部１６０と録画再生装置１００と間における信号の入出力を行う。
【００４８】
ＨＤＤ１７０は、記憶部の一例であり、例えばコンテンツデータを記憶したり、ＥＰＧデータを記憶したりする。
【００４９】
操作部１６０は、例えば、リモートコントローラであり、利用者の操作によって録画再生装置１００に操作に関する信号を出力する。操作部１６０には、例えば、方向ボタン、決定ボタンなどが設けられている。なお、操作部１６０はリモートコントローラに限定されず、録画再生装置１００に直接設置されてもよい。
【００５０】
次に、図２を参照して、サムネイルの生成について説明する。図２は、サムネイルの生成を示すフローチャートである。
【００５１】
まず、録画済みコンテンツの中からサムネイルの生成処理対象とするコンテンツが指定され、コンテンツデータの字幕データに含まれる字幕文字列（ＣＣ：クローズドキャプション）の開始点、サムネイル表示に利用する字幕文字列の数が指定される（ステップＳ１１１）。次に、時刻取得部１３３が字幕文字列の時刻情報を取得する（ステップＳ１１２）。そして、サムネイル取得装置１１８は、各字幕文字列の時刻情報に対応する映像情報（サムネイル）を順次取得する（ステップＳ１１３）。ＨＤＤ１７０には、サムネイルと字幕文字列の情報が関連付けて記録される（ステップＳ１１４）。
【００５２】
次に、図３を参照して、サムネイルの表示について説明する。図３は、サムネイルの表示を示すフローチャートである。
【００５３】
まず、表示装置の画面に表示された録画済みコンテンツの一覧の中からサムネイル表示をする対象コンテンツを指定する（ステップＳ１２１）。その際、ＥＰＧからコンテンツを選択するとしてもよい。次に、サムネイル取得装置１１８がＨＤＤ１７０に記録されたサムネイル情報を読み出す（ステップＳ１２２）。その後、映像信号処理回路１２０が、一定時間間隔でサムネイルを表示装置における１つの枠内に時系列的に表示させる（ステップＳ１２３）。このとき、サムネイルと字幕文字列を同時に表示させてもよいし、字幕文字列のうちキーワードを強調（ハイライト）表示させたり、字幕文字列のうちキーワードのみを表示させたりしてもよい。サムネイルが１つの枠内に時系列的に表示していくイメージは、例えば図６に示すようになる。図６は、サムネイルの表示を示す説明図である。
【００５４】
次に、図４を参照して、サムネイルとＥＰＧとの関連付け処理について説明する。図４は、サムネイルとＥＰＧとの関連付け処理を示す説明図である。
【００５５】
まず、メタデータ文字列取得部１３４は、放送番組に関するＥＰＧデータについて形態素解析をする（ステップＳ１３１）。そして、メタデータ文字列取得部１３４は、単語ベクトルＷｅｐｇを抽出する（ステップＳ１３２）。ベクトルの要素は、例えばＥＰＧデータの中に存在する単語は１とし、それ以外の単語は０とする。次に、番組の録画が開始される（ステップＳ１３３）。なお、録画後に先に示したステップＳ１３１、Ｓ１３２を行ってもよい。
【００５６】
録画中に字幕デコーダ１１２は、字幕データのデコードを行う（ステップＳ１３４）。そして、字幕文字列取得部１３２は、録画されたコンテンツデータの字幕データについて形態素解析をして、名詞、動詞などの品詞によるフィルタリングを行う（ステップＳ１３５）。その後、字幕文字列取得部１３２は、時刻情報が付与されている字幕文字列を１単位として単語ベクトルＷｃｃｎ（ｎ＝１，２，・・・）を生成する（ステップＳ１３６）。ここで、ベクトルの要素は、後述する重み付けの値による。
【００５７】
次に、単語ベクトルＷｃｃｎの重み付けを行う（ステップＳ１３７）。重み付けは、例えば字幕文字列に付加された色彩による。字幕文字列の色彩は、白色以外の色がついたものが重要である場合が多い。例えば、登場人物によって色彩を使い分けるコンテンツがある。従って、この属性を利用して白色以外の色彩が使用された字幕文字列に対して重み付けを行うことができる。例えば、黄色は３倍、青色は２倍、白色は１倍、それ以外は１．５倍の重み付けをするとしてもよい。
【００５８】
次に、類似度計算部１３５は、単語ベクトルＷｅｐｇと各字幕文字列の単語ベクトルＷｃｃｎとの間の類似度計算を行う（ステップＳ１３８）。そして、字幕文字列取得部１３２は、類似度計算による類似度を示す値が所定の閾値を超えるときの字幕文字列を取得し（ステップＳ１３９）、それに応じて、時刻取得部１３３は、取得された字幕文字列の表示開始時刻を取得する。その後、取得された字幕文字列の表示開示時刻や、類似度などを録画されたコンテンツに関連付けてＨＤＤ１７０に記録する。
【００５９】
その結果、図５に示すようにＥＰＧに含まれる情報、例えばタイトル、ジャンル、番組詳細、出演者などの情報と共にサムネイル表示をすることができる。このとき、サムネイル表示は、ＨＤＤ１７０に記録された字幕文字列の表示開始時刻に対応するサムネイルが用いられ、１つの枠内に時系列的にサムネイルが表示される。このとき、字幕文字列の表示開始時刻から例えば５秒間隔で、時系列順で順次サムネイルを表示する。そして、例えば３０秒で初めの時刻に戻るとしてもよい。更に、利用者の操作（図５に示す方向ボタン）で、時系列順で次の又は前のサムネイル表示候補を表示させることができるとしてもよい。
【００６０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６１】
例えば、上記実施形態では、ＥＰＧ情報と共に表示するサムネイル表示について説明したが、本発明はかかる例に限定されない。例えば、本発明の映像取得部で取得される映像情報をダイジェスト再生に用いてもよい。
【００６２】
また、本発明でサムネイル生成の際に利用する字幕文字列の決定方法は、任意の手法を使用することができる。例えば、音楽検出技術を利用して、ドラマでテーマ曲が流れている区間の字幕文字列を利用するとしてもよいし、盛り上がり検出技術を利用して、サッカーなどのスポーツ番組において得点シーン区間の字幕文字列を利用するとしてもよい。
【図面の簡単な説明】
【００６３】
【図１】本発明の第１の実施形態に係る録画再生装置を示すブロック図である。
【図２】サムネイルの生成を示すフローチャートである。
【図３】サムネイルの表示を示すフローチャートである。
【図４】サムネイルとＥＰＧとの関連付け処理を示す説明図である。
【図５】サムネイルとＥＰＧ表示を示す説明図である。
【図６】サムネイルの表示を示す説明図である。
【符号の説明】
【００６４】
１００      録画再生装置
１０４      チューナ
１１８      サムネイル取得装置
１２０      映像信号処理回路
１３０      ＣＰＵ
１３２      字幕文字列取得部
１３３      時刻取得部
１３４      メタデータ文字列取得部
１３５      類似度計算部
１３６      重み付け部
１７０      ＨＤＤ
【図１】
0004403432.tif 000005
【図２】
0004403432.tif 000006
【図３】
0004403432.tif 000007
【図４】
0004403432.tif 000008
【図５】
0004403432.tif 000009
【図６】
0004403432.tif 000010